(57)【要約】      （修正有）【課題】２穴バインダーであって軸間距離が可変であり異なる穴間隔の用紙を綴じることが可能であり、さらにカバー片部を有することでルーズリーフバインダーのように立てて収納することができ、鞄に入れて持ち運んでも綴じられた紙片に傷や汚れがつくことのないバインダーを提供する。【解決手段】複数の小紙片を閉じることができるバインダーであって、バインダー本体１１と、バインダー本体が固定されるカバー片部とを備え、バインダー本体は、フレーム部１３と、フレーム部に立設され、綴じられる紙片に開設された一対の孔部に挿通される一対の棒状挿通部１４と、一対の棒状挿通部の上端部に係合して紙片を一対の棒状挿通部に固定する固定片部１６とを有し、一方の棒状挿通部は、他方の棒状挿通部との間隔寸法を変更しうるようにスライド可能に配設されている。【選択図】図１
0003189725.tif 000002
【実用新案登録請求の範囲】
【請求項１】
複数の小紙片を閉じることができるバインダーであって、バインダー本体と、バインダー本体が固定されるカバー片部とを備え、上記バインダー本体は、フレーム部と、上記フレーム部に立設され、綴じられる紙片に開設された一対の孔部に挿通される一対の棒状挿通部と、上記一対の棒状挿通部の上端部に係合して紙片を上記一対の棒状挿通部に固定する固定片部とを有し、上記一方の棒状挿通部は、他方の棒状挿通部との間隔寸法を変更しうるようにスライド可能に配設されていることを特徴とするバインダー。
【請求項２】
上記フレーム部は、上記フレーム部上に膨出して形成された、全体略細長直方体形状の支持部を備え、上記支持部は長さ方向に沿って形成された長穴を有する上面部と、上記上面部を支持する側面部とを有し、
上記他方の棒状挿通部は上記上面部に固定されて上方へ突出して立設されると共に、上記一方の棒状挿通部は、棒状挿通部本体と、上記棒状挿通部本体の下端部に固定され、上記膨出部内に配設されて上記上面部の裏面側に常時圧接する付勢手段とを有し、上記棒状挿通部本体は、上記長穴を介して上方を突出して立設されていることを特徴とする請求項１記載のバインダー。
【請求項３】
上記付勢手段は側面略円弧状の板バネからなり、上記棒状挿通部本体は上記板バネの長さ方向中央部において上記板バネに固定され、上記板バネの上端部は上記支持部内において上面部内方に当接すると共に、上記板バネの両端部はフレーム部に圧接することを特徴とする請求項２記載のバインダー。
【請求項４】
上記カバー片部は、綴じられる小紙片を被覆しうる大きさに形成されていることを特徴とする請求項１記載のバインダー。
【請求項５】
上記フレーム部は側面略Ｌ字状の板材により形成されると共に、上記固定片部は、上記フレーム部の上端部に回動可能に固定されていることを特徴とする請求項１記載のバインダー。
【考案の詳細な説明】
【技術分野】
【０００１】
本考案は、２穴バインダーの改良に関するものである。
【背景技術】
【０００２】
従来より、２穴ファイリング用具であり片方の針が可動し得るものは特許文献１により既に提案されている。
【０００３】
しかしながら、特許文献１は台座に設けられた２つの針に用紙を係止して使用する、平置きタイプの２穴ファイリング用具であり、カバー部がないので係止して束ねたものを立てて収納することができず、また鞄に入れて持ち運んだりすることも紙片に傷や汚れをつけてしまう恐れがあった。
【特許文献１】実用新案登録第３１５５０２５号公報
【考案の開示】
【考案が解決しようとする課題】
【０００４】
そこで、本願考案は、このような従来の要請に基づくものであって、２穴バインダーであって軸間距離が可変であり異なる穴間隔の用紙を綴じることが可能であり、さらにカバー片部を有することでルーズリーフバインダーのように立てて収納することができ、鞄に入れて持ち運んでも綴じられた紙片に傷や汚れがつくことのない２穴バインダーを提供する。
【課題を解決するための手段】
【０００５】
上記課題を解決するために請求項１に記載の考案にあっては、複数の小紙片を閉じることができるバインダーであって、バインダー本体と、バインダー本体が固定されるカバー片部とを備え、上記バインダー本体は、フレーム部と、上記フレーム部に立設され、綴じられる紙片に開設された一対の孔部に挿通される一対の棒状挿通部と、上記一対の棒状挿通部の上端部に係合して紙片を上記一対の棒状挿通部に固定する固定片部とを有し、上記一方の棒状挿通部は、他方の棒状挿通部との間隔寸法を変更しうるようにスライド可能に配設されていることを特徴とする。
従って、棒状挿通部が可動することにより、綴じる紙片に開設された孔部の間隔寸法が異なっていた場合であっても紙片を綴じることができる。また、綴じられた紙片はカバー片により外部から保護される。
【０００６】
請求項２に記載の考案にあっては、上記フレーム部は、上記フレーム部上に膨出して形成された、全体略細長直方体形状の支持部を備え、上記支持部は長さ方向に沿って形成された長穴を有する上面部と、上記上面部を支持する側面部とを有し、上記他方の棒状挿通部は上記上面部に固定されて上方へ突出して立設されると共に、上記一方の棒状挿通部は、棒状挿通部本体と、上記棒状挿通部本体の下端部に固定され、上記支持部内に配設されて上記上面部の裏面側に常時圧接する付勢手段とを有し、上記棒状挿通部本体は、上記長穴を介して上方を突出して立設されていることを特徴とする。
従って、付勢手段により上記一方の棒状挿通部のスライド時におけるがたつきを抑制できると共に一定の動作抵抗が得られる。また、長穴の長さ寸法分が棒状挿通部の可動域となる。
【０００７】
請求項３に記載の考案にあっては、上記付勢手段は側面略円弧状の板バネからなり、上記棒状挿通部本体は上記板バネの長さ方向中央部において上記板バネに固定され、上記板バネの上端部は上記膨出部内において上面部内方に当接すると共に、上記板バネの両端部はフレーム部に圧接することを特徴とする。従って、簡単な部材で付勢手段を構成することができる。
【０００８】
請求項４に記載の考案にあっては、上記カバー片部は、綴じられる小紙片を被覆しうる大きさに形成されていることを特徴とする。従って、綴じられた紙片はカバー片部により外部から保護される。
【０００９】
請求項５に記載の考案にあっては、上記フレーム部は側面略Ｌ字状の板材により形成されると共に、上記固定片部は、上記フレーム部の上端部に回動可能に固定されていることを特徴とする。従って、固定片部を回動することで棒状挿通部を開放あるいは係合することができる。
【考案の効果】
【００１０】
請求項１に記載のバインダーにあっては、一方の棒状挿通部がスライド可能に配設されていることから、該バインダーに綴じることができる紙片の孔部の間隔寸法は１つの寸法に限定されないので、綴じようとする２つ穴の紙片の孔部の間隔寸法に合わせて一方の棒状挿通部をスライドし綴じることが可能である。
また、固定片部を一対の棒状挿通部に係合しておけば綴じた紙片が脱離することもない。さらに通常のバインダーのように立てて収納することができ、カバー片部により綴じた紙片が保護され鞄等に入れて持ち運んだ際に綴じた紙片に傷や汚れがつくという事態を回避することができる。
【００１１】
請求項２および請求項３に記載のバインダーにあっては、付勢手段を有していることから一方の棒状挿通部のスライド時におけるがたつきが抑制されるので、棒状挿通部や付勢手段（請求項３にあっては板バネ）が予期せぬ箇所に噛み込んだりして故障することがなく、適度な動作抵抗が得られるのでより快適な操作感を得られる。
【００１２】
請求項５に記載のバインダーにあっては、回動可能に固定されていることから開放と係合の操作が容易に行えるので、紙片の出し入れも容易となる。
【図面の簡単な説明】
【００１３】
【図１】図１は、本考案に係るバインダーの一実施形態を示した斜視図である。
【図２】図２は、本考案に係るバインダーの一実施形態を示し、図１のＡ―Ａ線断面図である。
【図３】図３は、本考案に係るバインダーの一実施形態を示し、図２に示す支持部の平面図である。
【図４】図４は、本考案に係るバインダーの一実施形態を示し、支持部内に配設する付勢部材を示す側面図である。
【考案を実施するための最良の形態】
【００１４】
以下、本考案を実施の形態に基づき、図面を参照して詳細に説明する。なお、本考案の表示シートは、以下の実施例に限定されるものではなく、本考案の要旨を逸脱しない範囲内において種々変更を加え得ることは勿論である。
【００１５】
図１から図４に示すように、本実施の形態に係るバインダー１０は小紙片、例えば銀行ＡＴＭ明細書を閉じることができるバインダーであって、バインダー本体１１と、２枚の表紙１２ａ、１２ｂとバインダー本体１１の高さ寸法と同様の幅寸法を持つ背表紙１２ｃとから構成され、銀行ＡＴＭ明細書を被覆しうる大きさの樹脂製のカバー片部１２を備えており、バインダー本体１１はボルト２７、２７によりカバー片部１２に固定されている。
【００１６】
上記バインダー本体１１は金属で構成され、横断面Ｌ字状の板材により形成されたフレーム部１３と、上記フレーム部１３に設けられた支持部１７に立設され、銀行ＡＴＭ明細書に開設された一対の孔部に挿通される一対の棒状挿通部１４，２６と、フレーム部１３の上端部へ回動可能に固定され、上記一対の棒状挿通部１４，２６の上端部１５に係合して紙片を上記一対の棒状挿通部１４，２６に固定する固定片部１６とを有している。
【００１７】
支持部１７は、上記フレーム部１３上に膨出して設けられ、全体略細長直方体形状に形成されている。上記支持部１７は、長さ方向に沿って形成された長穴１８を有する上面部１９と、上記上面部１９を支持する側面部２０とを有し、棒状挿通部１４、２６は支持部１７の長さ方向両端部に設けられている。また、上面部１９には長さ方向の一端部側に長さ方向に沿って形成された長穴１８が開設されている。
【００１８】
図２及び図３に示すように、棒状挿通部２６は上記上面部１９に固定されて上方へ突出して立設されている。棒状挿通部１４は、棒状挿通部本体２１と、棒状挿通部本体２１の下端部に固定され、支持部１７内に配設されて上面部１９の裏面側に常時圧接する付勢手段２２とを有し、棒状挿通部本体２１は、上記長穴１８を介して上方に突出して立設されている。
【００１９】
図４に示すように、本実施の形態にあっては、付勢手段２２は剛性を有する鋼板により形成された、側面略円弧状の板バネにより形成されている。棒状挿通部本体２１は付勢手段を構成する板バネ２２の長さ方向中央部２５において上記板バネ２２に固定され、板バネ２２の両端部２４、２４は、長さ方向に移動が容易なように丸められて上方に折り返されて形成されている。
【００２０】
図２に示すように、板バネ２２の上端部２３は上記支持部１７内において上面部１９内方に当接すると共に、板バネ２２は上下方向に撓んだ状態で両端部２４、２４がフレーム部１３に圧接されて配設されており、上記長穴１８を介して上方を突出して立設されている。
【００２１】
以下、本実施の形態に係るバインダー１０の作用について説明する。
本実施の形態に係るバインダー１０は以上のような構成を有することから、表紙を開けてバインダー本体１１の固定片部１６を開放し、指で棒状挿通部１４をＡＴＭ明細書（図示せず）の孔部の間隔寸法となるよう移動させてＡＴＭ明細書を挿通ことができる。
【００２２】
この場合、板バネ２２は棒状挿通部本体２１を固定すると共に上面部１９の裏面側に常時圧接していることから、棒状挿通部本体２１を長さ方向に沿って移動させる場合には、常時、所定の摩擦力を有しながら移動することとなり、棒状挿通部１４を適切な操作感で、ＡＴＭ明細書の孔部に相当する適切な位置へ移動させることができる。
【００２３】
その後、固定片部１６を棒状挿通部１４、２６の先端部に係合させることにより挿通したＡＴＭ明細書を棒状挿通部１４、２６に固定させて綴じることができる。
【００２４】
また、カバー片部１２が２枚の表紙１２ａ、１２ｂと背表紙１２ｃから構成され、上記表紙１２ａ、１２ｂと背表紙１２ｃが剛性を有する樹脂で形成されていることから、例えば、机の上に立てた状態で保管することができ、綴じられたＡＴＭ明細書は表面、裏面及び背面が、２枚の表紙１２ａ、１２ｂと背表紙１２ｃにより保護された状態となる。
【００２５】
従って、銀行毎に異なった孔部の間隔寸法であるＡＴＭの明細書であっても、各銀行ＡＴＭ明細書を綴じるための専用バインダーを其々製作する必要がなく、一のバインダー１０により対応することができる。
【００２６】
さらに、ＡＴＭ明細書を綴じた上記バインダー１０を鞄に入れて持ち運んでもＡＴＭ明細書を汚したり傷つけたりすることがなく、持ち帰ったあと立てた状態で棚に収納することもできる。
【００２７】
上記実施の形態においては、バインダー１０は銀行ＡＴＭ明細書を綴じるためのものを例として説明したが、これに限定されるものではなく２以上の孔部を有する紙片であれば利用可能である。
【００２８】
上記実施の形態においては、付勢手段２２が側面略円弧状の板バネから構成され棒状挿通部本体２１が板バネ２２の長さ方向中央部において固定され、上記板バネの上端部は上記支持部１７の上面部１９内方に当接され、上記棒状挿通部本体２１は、長穴１８を介して上方を突出して立設され、長穴１８内において支持部１７の長さ方向に沿ってスライドするよう構成された場合を例に説明したが、これに限定されるものではなく他の構成によるものでも良い。
【００２９】
上記実施の形態においては、付勢手段２２が板バネであることを例として説明したが、これに限定されるものではなく棒状挿通部１４の姿勢を維持できるものであれば良い。また、板バネ２２の材質や形状も適宜変更することができる。
【００３０】
上記実施の形態においては、フレーム部１３は側面略Ｌ字状の板材により形成された場合を例に説明したが、これに限定されるものではなく目的とするデザイン性や綴じられる紙片に合わせて適宜変更できる。
【００３１】
固定片部１６が上記フレーム部１３の上端部に回動可能に固定されている場合を例に説明したが、これに限定されるものではなくフレーム部１３から取り外して開放するものでも良い。
【産業上の利用可能性】
【００３２】
本考案に係るバインダーは、様々な間隔寸法の２つ穴紙片に対応したバインダーであり、伝票や領収書などを綴じて保管することができ産業上利用可能性を有している。
【符号の説明】
【００３３】
１０  バインダー
１１  バインダー本体
１２  カバー片部
１２ａ  表紙
１２ｂ  表紙
１２ｃ  背表紙
１３  フレーム部
１４  棒状挿通部
１５  棒状挿通部の上端面
１６  固定片部
１７  支持部
１８  長穴
１９  上面部
２０  側面部
２１  棒状挿通部本体
２２  付勢部材（板バネ）
２３  上端部
２４  両端部
２５  長さ方向中央部
２６  棒状挿通部
２７  ボルト
【図１】
0003189725.tif 000003
【図２】
0003189725.tif 000004
【図３】
0003189725.tif 000005
【図４】
0003189725.tif 000006